【手続補正書】
【提出日】令和1年5月24日(2019.5.24)
【手続補正１】
【補正対象書類名】明細書
【補正対象項目名】０１７８
【補正方法】変更
【補正の内容】
【０１７８】
先に引用した全ての特許、特許出願、及び他の刊行物は、完全に再現されたものとして
参照によって本願に組み込まれる。本発明の種々の態様の説明を容易にするために、本発
明の特定の実施例について上で詳細に説明しているが、その意図は、本発明を実施例の細
部に限定することではないことを理解されたい。むしろ、その意図は、添付の「特許請求
の範囲」で定義される本発明の趣旨及び範囲に含まれる全ての修正物、等価物、並びに代
替物を網羅することである。本発明の実施態様の一部を以下の項目［１］−［８９］に記
載する。
［１］
光学構造物であって、
約３０％以上の光学ヘイズを有する光学拡散体層と、
前記光学拡散体層上に配設された光学フィルムであって、約１．３以下の屈折率及び約５％以下の光学ヘイズを有する、光学フィルムと、
前記光学フィルム上に配設された反射偏光子層であって、前記光学構造物内の隣接する２つの主表面それぞれの相当部分が、互いに物理的に接触する、反射偏光子層と、を備える、光学構造物。
［２］
前記光学拡散体層は、約４０％以上の光学ヘイズを有する、項目１に記載の光学構造物。
［３］
前記光学拡散体層は、約５０％以上の光学ヘイズを有する、項目１に記載の光学構造物。
［４］
前記光学拡散体は、結合剤中に分散された複数の粒子を含む、項目１に記載の光学構造物。
［５］
前記光学フィルムは、約１．２５以下の屈折率を有する、項目１に記載の光学構造物。
［６］
前記光学フィルムは、約１．２以下の屈折率を有する、項目１に記載の光学構造物。
［７］
前記光学フィルムは、約２％以下の光学ヘイズを有する、項目１に記載の光学構造物。
P.2
［８］
前記光学フィルムは、約１％以下の光学ヘイズを有する、項目１に記載の光学構造物。
［９］
前記光学フィルムは、約１マイクロメートル以上の厚さを有する、項目１に記載の光学構造物。
［１０］
前記光学フィルムは、約２マイクロメートル以上の厚さを有する、項目１に記載の光学構造物。
［１１］
結合剤と、
複数の連結ボイドと、
複数の粒子と、を備え、前記結合剤と前記複数の粒子との重量比は約１：２以上である、項目１に記載の光学構造物。
［１２］
前記複数の連結ボイドは、約１マイクロメートル以下の平均ボイド寸法を有する、項目１１に記載の光学構造物。
［１３］
前記光学フィルム内の前記複数の連結ボイドの体積分率は、約２０％以上である、項目１１に記載の光学構造物。
［１４］
前記光学フィルム内の前記複数の連結ボイドの体積分率は、約４０％以上である、項目１１に記載の光学構造物。
［１５］
前記複数の粒子は、約１００ｎｍ以下の平均粒径を有する、項目１１に記載の光学構造物。
［１６］
前記複数の粒子は、約５０ｎｍ以下の平均粒径を有する、項目１１に記載の光学構造物。
［１７］
前記複数の粒子は、約１０以上の平均縦横比を有する細長粒子を含む、項目１１に記載の光学構造物。
［１８］
前記反射偏光子層は、交互に並ぶ層を備える多層光学フィルムを備え、前記交互に並ぶ層の少なくとも１つは、複屈折材料を備える、項目１に記載の光学構造物。
［１９］
前記反射偏光子層は、ワイヤグリッド反射偏光子を備える、項目１に記載の光学構造物。
［２０］
前記反射偏光子層は、コレステリック反射偏光子を備える、項目１に記載の光学構造物。
［２１］
前記光学構造物内の隣接する２つの主表面それぞれの少なくとも５０％が、互いに物理的に接触する、項目１に記載の光学構造物。
［２２］
前記光学構造物内の隣接する２つの主表面それぞれの少なくとも７０％が、互いに物理的に接触する、項目１に記載の光学構造物。
［２３］
前記光学構造物内の隣接する２つの主表面それぞれの少なくとも９０％が、互いに物理的に接触する、項目１に記載の光学構造物。
［２４］
P.3
前記光学フィルムは、光学接着剤層を介して前記反射偏光子層に積層される、項目１に記載の光学構造物。
［２５］
前記光学フィルムは、前記反射偏光子層上にコーティングされる、項目１に記載の光学構造物。
［２６］
約１．２以上の軸方向輝度ゲインを有する、項目１に記載の光学構造物。
［２７］
約１．３以上の軸方向輝度ゲインを有する、項目１に記載の光学構造物。
［２８］
約１．４以上の軸方向輝度ゲインを有する、項目１に記載の光学構造物。
［２９］
前記反射偏光子層上に配設された光学接着剤層を更に備える、項目１に記載の光学構造物。
［３０］
前記反射偏光子層上に配設された液晶パネルを更に備える、項目１に記載の光学構造物。
［３１］
項目１に記載の光学構造物と、
前記光学構造物に面する少なくとも１つのランプと、を備える、直下型ディスプレイシステム。
［３２］
前記少なくとも１つのランプは、少なくとも部分的に反射光学空洞の中にある、項目３１に記載の直下型ディスプレイシステム。
［３３］
光導体と、
前記光導体の縁部に沿って配設されたランプと、
前記光導体上に配設された項目１に記載の光学構造物と、を備える、エッジライトディスプレイシステム。
［３４］
反射偏光子層と、
前記反射偏光子層上に配設された光学フィルムであって、約５０％以上の光学ヘイズを有する、光学フィルムと、を備える光学構造物であって、前記光学構造物内の隣接する２つの主表面それぞれの相当部分が、互いに物理的に接触し、前記光学構造物は、約１．２以上の軸方向輝度ゲインを有する、光学構造物。
［３５］
前記反射偏光子層は、交互に並ぶ層を備える多層光学フィルムを備え、前記交互に並ぶ層のうち少なくとも１つは、複屈折材料を備える、項目３４に記載の光学構造物。
［３６］
前記反射偏光子層は、ワイヤグリッド反射偏光子を備える、項目３４に記載の光学構造物。
［３７］
前記反射偏光子層は、コレステリック反射偏光子を備える、項目３４に記載の光学構造物。
［３８］
前記光学フィルムは、約６０％以上の光学ヘイズを有する、項目３４に記載の光学構造物。
［３９］
前記光学フィルムは、約７０％以上の光学ヘイズを有する、項目３４に記載の光学構造物。
P.4
［４０］
前記光学フィルムは、約８０％以上の光学ヘイズを有する、項目３４に記載の光学構造物。
［４１］
前記光学フィルムは、約９０％以上の光学ヘイズを有する、項目３４に記載の光学構造物。
［４２］
前記光学フィルムは、約１マイクロメートル以上の厚さを有する、項目３４に記載の光学構造物。
［４３］
前記光学フィルムは、約２マイクロメートル以上の厚さを有する、項目３４に記載の光学構造物。
［４４］
前記光学フィルムは、複数のボイドを備える、項目３４に記載の光学構造物。
［４５］
前記複数のボイドは、複数の連結ボイドを含む、項目４３に記載の光学構造物。
［４６］
結合剤と、
複数の連結ボイドと、
複数の粒子と、を備え、前記結合剤と前記複数の粒子との重量比は約１：２以上である、項目３４に記載の光学構造物。
［４７］
前記複数の連結ボイドは、約２マイクロメートル以下の平均ボイド寸法を有する、項目４６に記載の光学構造物。
［４８］
前記複数の連結ボイドは、約１マイクロメートル以下の平均ボイド寸法を有する、項目４６に記載の光学構造物。
［４９］
前記光学フィルム内の前記複数の前記連結ボイドの体積分率は、約２０％以上である、項目４６に記載の光学構造物。
［５０］
前記光学フィルム内の前記複数の前記連結ボイドの体積分率は、約４０％以上である、項目４６に記載の光学構造物。
［５１］
前記複数の粒子は、約１００ｎｍ以下の平均粒径を有する、項目４６に記載の光学構造物。
［５２］
前記複数の粒子は、約５０ｎｍ以下の平均粒径を有する、項目４６に記載の光学構造物。
［５３］
前記複数の粒子は細長粒子を含む、項目４６に記載の光学構造物。
［５４］
前記光学構造物の隣接する２つの主表面それぞれの少なくとも５０％が、互いに物理的に接触する、項目３４に記載の光学構造物。
［５５］
前記光学構造物の隣接する２つの主表面それぞれの少なくとも７０％が、互いに物理的に接触する、項目３４に記載の光学構造物。
［５６］
前記光学構造物の隣接する２つの主表面それぞれの少なくとも９０％が、互いに物理的に接触する、項目３４に記載の光学構造物。
P.5
［５７］
前記光学フィルムは、光学接着剤層を介して前記反射偏光子層に積層される、項目３４に記載の光学構造物。
［５８］
前記光学フィルムは、前記反射偏光子層上にコーティングされる、項目３４に記載の光学構造物。
［５９］
約１．２以上の軸方向輝度ゲインを有する、項目３４に記載の光学構造物。
［６０］
約１．３以上の軸方向輝度ゲインを有する、項目３４に記載の光学構造物。
［６１］
約１．４以上の軸方向輝度ゲインを有する、項目３４に記載の光学構造物。
［６２］
前記反射偏光子層上に配設された光学接着剤層を更に備える、項目３４に記載の光学構造物。
［６３］
前記反射偏光子層上に配設された液晶パネルを更に備える、項目３４に記載の光学構造物。
［６４］
前記光学フィルムは、約１０％以下の光学的透明度を有する、項目３４に記載の光学構造物。
［６５］
前記光学フィルムは、約７％以下の光学的を有する、項目３４に記載の光学構造物。
［６６］
前記光学フィルムは、約５０％以上の光学的透明度を有する、項目３４に記載の光学構造物。
［６７］
前記光学フィルムは、約７０％以上の光学的透明度を有する、項目３４に記載の光学構造物。
［６８］
前記光学フィルムは、約８０％以上の光学的透明度を有する、項目３４に記載の光学構造物。
［６９］
前記光学フィルムは、約９０％以上の光学的透明度を有する、項目３４に記載の光学構造物。
［７０］
項目３４に記載の光学構造物と、
前記光学構造物に面する少なくとも１つのランプと、を備える、直下型ディスプレイシステム。
［７１］
前記少なくとも１つのランプは、少なくとも部分的に反射性光学空洞の中にある、項目７０に記載の直下型ディスプレイシステム。
［７２］
光導体と、
前記光導体の縁部に沿って配設されたランプと、
前記光導体上に配設された項目３４に記載の光学構造物と、を備える、エッジライトディスプレイシステム。
［７３］
反射偏光子層と、
前記反射偏光子層上に配設された光学フィルムであって、複数のボイド及び約５０％以P.6
上の光学ヘイズを有する、光学フィルムと、を備える光学構造物であって、前記光学構造物内の隣接する２つの主表面それぞれの相当部分が、互いに物理的に接触する、光学構造物。
［７４］
前記光学フィルムは、約６０％以上の光学ヘイズを有する、項目７３に記載の光学構造物。
［７５］
前記光学フィルムは、約７０％以上の光学ヘイズを有する、項目７３に記載の光学構造物。
［７６］
前記光学フィルムは、約８０％以上の光学ヘイズを有する、項目７３に記載の光学構造物。
［７７］
約１．２以上の軸方向輝度ゲインを有する、項目７３に記載の光学構造物。
［７８］
約１．３以上の軸方向輝度ゲインを有する、項目７３に記載の光学構造物。
［７９］
吸収偏光子層と、
複数のボイドを備える光学フィルムと、
反射偏光子層と、を備える光学スタックであって、前記光学スタック内の隣接する２つの主表面それぞれの相当部分が、互いに物理的に接触する、光学スタック。
［８０］
前記光学フィルムは、前記吸収偏光子層と前記反射偏光子層との間に配設される、項目７９に記載の光学スタック。
［８１］
前記光学フィルムは、約５０％以上の光学ヘイズを有する、項目７９に記載の光学スタック。
［８２］
前記光学フィルムは、約１０％以下の光学ヘイズを有する、項目７９に記載の光学スタック。
［８３］
約５０％以上の光学ヘイズを有する光学拡散体層を更に備える、項目８２に記載の光学スタック。
［８４］
前記反射偏光子層は、前記吸収偏光子層と前記光学フィルムとの間に配設される、項目７９に記載の光学スタック。
［８５］
前記光学フィルムは、約５０％以上の光学ヘイズを有する、項目８４に記載の光学スタック。
［８６］
前記光学フィルムは、約１０％以下の光学ヘイズを有する、項目８４に記載の光学スタック。
［８７］
約５０％以上の光学ヘイズを有する光学拡散体層を更に備える、項目８６に記載の光学スタック。
［８８］
前記吸収偏光子の通過軸及び前記反射偏光子層の通過軸は、同じ方向をなす、項目７９に記載の光学スタック。
［８９］
光導体上に配設された項目７９に記載の光学スタックを備えるディスプレイシステム。
【手続補正２】
【補正対象書類名】特許請求の範囲
【補正対象項目名】全文
【補正方法】変更
【補正の内容】
【特許請求の範囲】
【請求項１】
光学構造物であって、
約３０％以上の光学ヘイズを有する光学拡散体層と、
前記光学拡散体層上に配設された光学フィルムであって、約１．３以下の屈折率及び約５％以下の光学ヘイズを有する、光学フィルムと、
前記光学フィルム上に配設された反射偏光子層であって、前記光学構造物内の隣接する２つの主表面それぞれの相当な部分が、互いに物理的に接触する、反射偏光子層と、を備える、光学構造物。
【請求項２】
結合剤と、
複数の連結ボイドと、
複数の粒子と、を備え、前記結合剤と前記複数の粒子との重量比は約１：２以上である、請求項１に記載の光学構造物。
【請求項３】
前記光学構造物内の隣接する２つの主表面それぞれの少なくとも５０％が、互いに物理的に接触する、請求項１に記載の光学構造物。